(57)【特許請求の範囲】
【請求項１】
防護区画に設置され火災を検出したときに火災信号を出力する火災感知器と、
前記火災感知器を感知器回線に接続して前記防護区画の火災を監視する火災受信盤と、
前記防護区画に配置された閉鎖型スプリンクラーヘッドと、
前記スプリンクラーヘッドへの消火用水の供給と停止を制御する制御弁と、
前記スプリンクラーヘッドの作動による消火用水の流水を検知する流水検知装置と、
前記制御弁とスプリンクラーヘッドとの間の管内圧力が規定圧力以上のときにオンして圧力検知信号を出力する圧力スイッチと、
定常監視状態においては、前記制御弁を開状態として前記スプリンクラーヘッドに消火用水を供給し、前記流水検知装置により流水が検知された際に、前記火災受信盤からの火災信号又は障害信号があれば前記制御弁の開状態を維持し、火災信号又は障害信号がなければ前記制御弁を閉状態に制御して消火用水の供給を停止し、更に前記制御弁の閉制御で流水が検知されなくなり、前記圧力検知信号がオフとなった時に前記制御弁の閉状態を維持する制御部を有するスプリンクラー制御盤と、を備えたスプリンクラー消火設備に於いて、
前記スプリンクラー制御盤に、前記流水検知装置から流水検知信号を受信した際に、前記流水検知信号の状態に関わらず、前記制御弁を全開から全閉に閉制御するまでの時間程度の所定時間継続して前記流水検知信号の前記制御部への出力を保持するタイマ回路を設けたことを特徴とするスプリンクラー消火設備。
【発明の詳細な説明】
【０００１】
【発明の属する技術分野】
本発明は、火災発生時にスプリンクラーヘッドから消火用水を放水するスプリンクラー消火設備に関し、特に集合住宅の各住戸を一つの防護区画として放水を制御するスプリンクラー消火設備に関する。
【０００２】
【従来の技術】
従来、この種のスプリンクラー消火設備としては例えば図６のものがある（特開平１０−５３６５号）。
【０００３】
図６において、建物の地下階等には消火ポンプ１０１及びモータ１０２が設置され、ポンプ制御盤１１５によるモータ１０２の駆動で消火ポンプ１０１を運転し、貯水槽１０３の消火用水を汲み上げ、建物の垂直方向に配管した給水本管１０４に加圧供給している。建物の屋上には高架水槽１０５が設置され、給水本管１０４に常時、消火用水を充満させている。
【０００４】
また給水本管１０４の管内圧力を規定圧に保持するための消火ポンプ１０１の運転のため、圧力タンク１１３が分岐接続され、給水本管１０４の管内圧力を導入して内部空気を圧縮している。また圧力タンク１１３には圧力スイッチ１１４が設けられ、スプリンクラーヘッド１１０の作動により管内圧力が規定圧力以下に低下すると圧力スイッチ１１４がオンし、このオンを検出することでポンプ制御盤１１５がモータ１０２を駆動して消火ポンプ１０１を運転する。
【０００５】
給水本管１０４からは建物の階ごとに分岐管１０６が流水検知装置１０８を介して引き出され、流水検知装置１０８の二次側の分岐管には閉鎖型のスプリンクラーヘッド１１０が接続されている。また流水検知装置１０８の一次側に制御弁１０７を設けている。
【０００６】
制御弁１０７は例えばモータ駆動により開閉制御できる電動弁であり、定常監視状態で開状態に維持されている。このため給水本管１０４の管内圧力は、分岐管１０６の開状態にある制御弁１０７及び流水検知装置１０８を通って二次側のスプリンクラーヘッド１１０に供給され、従来の湿式スプリンクラー設備と同じ加圧水の供給状態となっている。
【０００７】
流水検知装置１０８は流水検知スイッチ１０９を備えており、火災によりスプリンクラーヘッド１１０が作動して消火用水を放水したときの水流による弁開放又は圧力低下等を検出して流水検知スイッチ１０９をオンし、流水検知信号を出力する。
【０００８】
分岐管１０６の端末側には末端試験弁１１１とオリフィス１１２が接続され、更に圧力計１４２を設けている。点検時に末端試験弁１１１を開くと、オリフィス１１２で決まるスプリンクラーヘッド１台の作動に相当する水量が流れ、これにより擬似的に流水検知装置１０８を作動させてポンプ運転等の試験動作を行わせることができる。
【０００９】
流水検知装置１０８に設けた流水検知スイッチ１０９からの流水検知信号は、消火用中継器１１７を経由してスプリンクラー制御盤１１６に与えられている。またスプリンクラー制御盤１１６からの制御弁１０７に対する制御信号Ｅ３も、消火用中継器１１７を経由して出力される。
【００１０】
一方、スプリンクラーヘッド１１０の防護区画には火災感知器１１８が設置される。火災感知器１１８は火報用中継器１２０からの感知器回線に接続されており、火災を検出して火災検出信号を、火報用中継器１２０を介して火災受信盤１２１に出力し、火災が判断される。火災受信盤１２１で火災が判断されると、スプリンクラー制御盤１１６に対し火災信号Ｅ２０が移報信号として送出される。
【００１１】
また感知器回線が断線した場合などには、火災受信盤１２１からスプリンクラー制御盤１１６に障害信号Ｅ３０が送出される。
【００１２】
スプリンクラー制御盤１１６は、定常監視状態において制御弁１０７を開状態としてスプリンクラーヘッド１１０に消火用水を供給し、流水検知装置１０８により流水が検知された際に、火災受信盤１２１から火災信号があれば制御弁１０７の開状態を維持し、作動したスプリンクラーヘッドから放水を継続させる。また流水検知装置１０８により流水が検知された際に、火災信号がなければ制御弁１０７を閉状態として消火用水の供給を停止し、その後に火災信号があれば制御弁１０７を開制御して放水を再開し、火災信号がなければスプリンクラーヘッドの誤作動とみなして放水を禁止し、水損の被害を小さくする。
【００１３】
【発明が解決しようとする課題】
しかしながら、このような従来のスプリンクラー消火設備にあっては、閉鎖型のスプリンクラーヘッド１１０が破損等により誤作動した場合、制御弁１０７の閉鎖と開放制御を繰り返すハンチング動作を起こす問題があった。
【００１４】
つまり、スプリンクラーヘッド１１０が最初に作動した場合は、スプリンクラー制御盤１１６は、火災信号を受信していないから制御弁１０７を閉状態に制御する。制御弁１０７が閉状態に閉まると流水検知信号がオフになる。この流水検知信号及び火災信号の両信号のオフは、通常監視時と同じ状態になり、火災でもないのに制御弁１０７を開状態に制御して再び放水が行われてしまう。
【００１５】
この問題解消するため本願出願人にあっては、制御弁とスプリンクラーヘッドの間の管内圧力が規定圧力以上のときにオンする圧力検知信号を出力する圧力スイッチを設け、流水検知信号、火災信号及び圧力検知信号のの３つの信号に基づいて制御弁の開閉制御を行うようにしている（特願平１０−３１０１５７号、特願平１１−９２７７１号）。
【００１６】
つまり、通常監視時には流水検知信号及び火災信号がオフ状態であり、圧力検知信号が配管に消火用水が充填されていることからオン状態になっている。この初期状態で流水検知信号を先に受信したときには、火災信号を受信していないので制御弁を閉制御する。
【００１７】
制御弁が閉じると流水検知信号がオフになるが、配管内に消火用水が無くなるために圧力検知信号がオフになる。よって、初期状態とは圧力検知信号の状態が相違してオフとなっているため、これを条件に制御弁の閉制御を継続し、誤放水による水損被害を抑えることができる。
【００１８】
しかし、圧力検知信号を用いた制御にあっても、圧力スイッチの検知レベルの設定によっては制御弁の開制御と閉制御を繰り返すハンチング現象を起こすことが考えられる。
【００１９】
まず正常に制御弁が閉まる場合を説明する。流水検知信号がオンしたときに火災検知信号がオフであれば、スプリンクラー制御盤は制御弁を閉制御する。制御弁は徐々に閉まっていくが、ある程度閉まった時、例えば約１／２閉まった時に流水検知信号がオフする。このときには圧力検知信号が既にオフしていれば制御弁を完全に閉じることができる。
【００２０】
しかし、圧力スイッチの検知レベルの設定によっては流水検知信号よりも圧力検知信号の方が後にオフになることも考えられる。すると流水検知信号及び火災信号がオフで圧力検知信号がオンという初期監視状態と同じになり、制御弁は閉制御の途中で停止し、その後、制御弁の開制御が行われる。そして制御弁が開いていき、配管内に所定流量以上が流れると流水検知信号がオンするため、再び制御弁の閉制御が行われ、制御弁の開制御と閉制御を繰り返すハンチング現象を起こすことが考えられる。
【００２１】
このようなハンチング現象が発生しないように流水検知信号の作動レベルと圧力検知信号の作動レベルを調整することは、監視区域毎に配管の長さや配管内の圧力等それぞれ相違するから非常に設定が困難であり、たとえ調節できたとしても本来あるべき検知レベルを無視したレベルに調整することにもなる。
【００２２】
本発明は、スプリンクラーヘッドに対する消火用水の供給と停止を行う制御弁の開閉制御をより確実にするスプリンクラー消火設備を提供することを目的とする。
【００２３】
【課題を解決するための手段】
この目的を達成するため本発明は次のように構成する。まず本発明のスプリンクラー制御設備は、防護区画に設置された火災感知器と、火災感知器を感知器回線に接続して前記防護区画の火災を監視する火災受信盤と、防護区画に配置された閉鎖型スプリンクラーヘッドと、スプリンクラーヘッドへの消火用水の供給と停止を制御する制御弁と、スプリンクラーヘッドの作動による消火用水の流水を検知する流水検知装置と、制御弁とスプリンクラーヘッドとの間の管内圧力が規定圧力以上のときにオンして圧力検知信号を出力する圧力スイッチと、制御弁を制御するスプリンクラー制御盤を備える。
【００２４】
スプリンクラー制御盤の制御部は、定常監視状態においては、制御弁を開状態として前記スプリンクラーヘッドに消火用水を供給している。また流水検知装置により流水が検知された際には、火災受信盤からの火災信号又は障害信号があれば制御弁の開状態を維持し、このとき火災信号又は障害信号がなければ制御弁を閉状態に制御して消火用水の供給を停止し、更に制御弁の閉制御で流水が検知されなくなり、圧力検知信号がオフしたときに制御弁の閉状態を維持する。
【００２５】
このようなスプリンクラー消火設備につき本発明にあっては、スプリンクラー制御盤に、流水検知装置から流水検知信号を受信した際に、流水検知信号の状態に関わらず所定時間継続して流水検知信号の制御部への出力を保持するタイマ回路を設けたことを特徴とする。このタイマ回路は、制御弁を全開から全閉に閉制御するまでの時間程度の時間で流水検知信号の制御部への出力を保持する。
【００２６】
このように本発明は、制御弁の閉制御の途中で流水検知装置からの流水検知信号がオフとなっても、タイマ回路によって制御弁が閉状態に制御される時間相当の所定時間のあいだ制御部に対する流水検知信号の出力が保持されており、圧力検知信号がオン、オフしても制御弁は閉制御の途中で開制御に切替わることはなく、ハンチング現象を起さずに確実に閉制御することができる。
【００２７】
このため流水検知装置の検知レベルと圧力スイッチの検知レベルを制御弁を閉制御するために都合の良いレベルに調整する困難な作業が必要なくなる。
【００２８】
【発明の実施の形態】
図１は本発明によるスプリンクラー消火設備の説明図である。
【００２９】
図１において、本発明のスプリンクラー消火設備は、主として集合住宅の住戸を１つの防護区画として火災監視と消火を行う。このため住戸内には住戸用受信機として機能する火災受信盤１が設置されており、火災受信盤１から中継器２を介して引き出された感知器回線３に火災感知器４を接続している。また火災受信盤１には図示しない住戸外表示器が接続される。
【００３０】
また防護区画となる住戸内にはスプリンクラーヘッド６が設置されている。スプリンクラーヘッド６は閉鎖型であり、火災による熱を受けた際に内部の金属を溶融させること等によって自動的に開口して消火用水を放水する。
【００３１】
スプリンクラーヘッド６は分岐管７を介して給水本管８に接続されており、給水本管８及び分岐管７を介してスプリンクラーヘッド６に消火用水が供給される。給水本管８の一端は建屋の地下室等に引き込まれ、消火ポンプ９を介して貯水槽１０に連結されている。
【００３２】
また給水本管８には圧力タンク１１が分岐接続され、圧力タンク１１によって給水本管８を加圧して管内圧力を規定値に保持している。圧力タンク１１には圧力スイッチ１２が設けられ、スプリンクラーヘッド６が作動して給水本管８の管内圧力が規定値以下に低下したことが圧力スイッチ１２で検出されると、ポンプ制御盤１３によりモータ１４を駆動して消火ポンプ９を運転し、貯水槽１０の消火用水を給水本管８に継続して供給する。
【００３３】
消火ポンプ９が運転されている際には、ポンプ運転信号がポンプ制御盤１３から住棟受信盤１５に出力される。また給水本管８の他端は建屋屋上等の高所に設置した高架水槽１９に引き込まれ、高架水槽１９からの消火用水で給水本管８に消火用水を常時充満させている。
【００３４】
給水本管８から分岐される分岐管７には流水検知装置１６と制御弁１８が設けられる。制御弁１８は分岐管７の開閉を行うことにより、スプリンクラーヘッド６に対する消火用水の供給と停止を制御し、スプリンクラー制御盤５の制御によって駆動される電動弁で構成されている。
【００３５】
この制御弁１８は定常監視状態においては、常に開状態に維持されている。このため定常監視状態においては消火用水は制御弁１８を介してスプリンクラーヘッド６に供給されており、湿式スプリンクラー設備と同じ加圧消火用水の供給状態となっている。
【００３６】
制御弁１８にはバイパス弁１８ａが並列に接続されており、制御弁１８が制御不能となった場合にはバイパス弁１８ａの手動操作による開閉で消火用水の供給と停止ができる。バイパス弁１８ａは定常監視状態では閉じられている。
【００３７】
制御弁１８の二次側には圧力スイッチ２０が設けられ、スプリンクラーヘッド６側の分岐管７の管内圧力が規定圧力以上のときにオンとなり、規定圧力未満のときにオフとなる圧力検知信号Ｅｐを、スプリンクラー制御盤５に出力する。
【００３８】
流水検知装置１６は、スプリンクラーヘッド６が火災による熱を受けて作動したときの消火用水の放水によって発生する水流でオンする流水検知信号Ｅａをスプリンクラー制御盤５に出力する。
【００３９】
分岐管７の末端側には末端試験弁２７とオリフィス２８が設けられている。末端試験弁２７を手動で開くことにより、オリフィス２８で決定される量の消火用水を分岐管７に流し、流水検知装置１６を疑似的に作動させて、オンとなった流水検知信号Ｅａによりスプリンクラー制御盤５で試験運転ができる。この末端試験弁２７は火災受信盤１側の中継器２と同様、住戸外に設置されている。
【００４０】
スプリンクラー制御盤５に対しては、火災受信盤１より火災信号Ｅｆと障害信号Ｅｔが移報信号として供給されている。火災受信盤１は火災感知器４で火災検出が行われたときの感知器回線３の低インピーダンスへの短絡により流れる発報電流を受信し、火災受信盤１で火災警報を行い、図示しない戸外表示器に表示すると共に、更に住棟受信盤１５に移報して表示する。またスプリンクラー制御盤５に対し火災信号Ｅｆを移報する。
【００４１】
また火災受信盤１は感知器回線３の断線を監視しており、断線を検出するとスプリンクラー制御盤５に対し障害信号Ｅｔを出力する。この断線監視のため、火災受信盤１から引き出された感知器回線３はスプリンクラー制御盤５に引き込まれ、その手前で終端抵抗２５を接続し、スプリンクラー制御盤５内に、後の説明で明らかにする火災受信盤１の機能が正常であるか否かを確認するために疑似的に断線状態を作り出す疑似障害発生スイッチ２６を設けている。
【００４２】
スプリンクラー制御盤５には、制御回路２１、緊急停止スイッチ２３及びタイマ回路２４が設けられ、更に制御回路２１には疑似障害発生スイッチ２６をパルス開閉して火災受信盤１の機能が正常かどうかを検出するための機能検出部２２を設けている。
【００４３】
このスプリンクラー制御盤５は、流水検知装置１６からの流水検知信号Ｅａ、圧力スイッチ２０からの圧力検知信号Ｅｐ、更に火災受信盤１からの火災信号Ｅｆと障害信号Ｅｔを入力しており、これらの信号に基づいて制御弁１８の制御を行う。
【００４４】
また流水検知装置１６からの流水検知信号Ｅａはタイマ回路２４に入力されている。タイマ回路２４は流水検知装置１６からオンとなった流水検知信号Ｅａを受信した際に、その後の流水検知信号Ｅａの状態にかかわらず、所定時間継続して制御回路２１への出力を保持する。
【００４５】
タイマ回路２４でオンとなった流水検知信号Ｅａの出力を保持する所定時間Ｔとしては、タイマ回路２４を経由して、オンとなった流水検知信号Ｅａが得られた時に火災信号Ｅｆがオフであることを条件に、制御弁１８を閉制御に制御する際に、この制御弁１８の閉制御の途中で圧力スイッチ２０からの圧力検知信号Ｅｐがオンからオフに切り替わるに十分な時間であり、より具体的には制御弁１８が全開から全閉までに要する時間程度であり、例えば６秒程度の時間を設定すれば良い。
【００４６】
ここでスプリンクラー制御盤５による制御弁１８の制御の概略は次のようになる。まず定常監視状態においては制御弁１８を開状態とし、スプリンクラーヘッド６に消火用水を供給している。火災によるスプリンクラーヘッド６の作動で消火用水が放水されると、流水検知装置１６からの流水検知信号Ｅａがオンとなり、タイマ回路２４による出力保持をもって制御回路２１に供給され、このとき火災受信盤１からの火災信号または障害信号があれば制御弁１８の開状態を維持する。
【００４７】
一方、流水検知信号Ｅａがオンとなった時に火災受信盤１からの火災信号Ｅｆまたは障害信号Ｅｔがなければ、制御弁１８を閉状態に制御して消火用水の供給を停止する。この制御弁１８の閉状態への制御中に流水検知装置１６の流水検知信号Ｅａが先にオフとなって流水が検知されなくなり、続いて圧力スイッチ２０からの圧力検知信号Ｅｐがオフとなったときには、制御弁１８の閉状態を維持するようになる。
【００４８】
このようなスプリンクラー制御盤５による制御弁１８の制御処理を、図２のフローチャートを参照して詳細に説明すると次のようになる。なお図２の説明にあっては、流水検知信号、火災信号、障害信号、圧力検知信号の有無をチェックして制御を行っているが、この場合の信号有りは信号のオンを意味し、また信号なしは信号のオフを意味する。
【００４９】
図２において、スプリンクラー制御盤５は、まずステップＳ１で流水検知装置１５からの流水検知信号Ｅａの有無をチェックしている。通常監視状態では流水検知信号Ｅａはないことから、ステップＳ２で火災受信盤１からの火災信号Ｅｆの有無をチェックするが、火災信号はないことから、ステップＳ６で圧力スイッチ２０からの圧力検知信号Ｅｐがあることを判別し、ステップＳ３で制御弁１８の開状態を維持する。
【００５０】
住戸内で火災が発生した場合には、火災受信盤１からの火災信号Ｅｆの移報に基づきステップＳ２で火災信号ありを判別し、ステップＳ５で制御弁１８の開状態を維持する。
【００５１】
火災に対し消火が確認されると、スプリンクラー制御盤５に設けた緊急停止スイッチ２３が押されることから、ステップＳ４で緊急停止スイッチのオンを判別すると、ステップＳ５に進み、制御弁１８を閉状態に制御し、スプリンクラーヘッド６からの放水を停止する。
【００５２】
またスプリンクラーヘッド６からの放水中に火災受信盤１から移報している火災信号Ｅｆがなくなった場合にも、ステップＳ７で火災信号なしを判別して、ステップＳ８に進んで障害信号Ｅｔもないことを判別し、この場合にはステップＳ９でスプリンクラー制御盤５に設けている疑似障害発生スイッチ２６をパルス的に開閉動作するスイッチ駆動を行った後、ステップＳ１０で火災受信盤１よりパルス的な障害信号Ｅｔが得られるかどうかチェックする。
【００５３】
火災受信盤１からパルス的な障害信号Ｅｔが得られれば火災受信盤１は正常に機能していることから、ステップＳ５に進み、制御弁１８を閉状態に制御して放水を停止する。
【００５４】
ここで、ステップＳ６において圧力検知信号Ｅｐの有無を確認するのは制御弁１８のハンチング動作を防止するためである。即ちスプリンクラーヘッド６が破損等により誤動作した場合において、火災信号Ｅｆが移報されていないことを条件に制御弁１８を閉じると、破損したスプリンクラーヘッド６からの放水を停止することができ、このとき流水検知装置１６からの流水検知信号Ｅａがオフとなる。
【００５５】
これは定常監視状態と同じであるため、復旧条件が整ったものと判断して制御弁１８を開状態に制御すると、破損したスプリンクラーヘッド６から再び放水が開始される。したがって制御弁１８の開放と閉鎖の繰り返しにより、破損したスプリンクラーヘッド６から断続的に放水が行われるようになる。
【００５６】
このような弊害を防止するため、ステップＳ６で圧力検知信号Ｅｐありが判別された場合は、定常監視状態もしくは放水後にスプリンクラーヘッドが交換され復旧条件が整ったものと判断し、ステップＳ３で制御弁１８を開制御する。
【００５７】
一方、ステップＳ６で圧力検知信号Ｅｐがなかった場合には、スプリンクラーヘッドの作動後の火災信号Ｅｆを待機している状態もしくはスプリンクラーヘッドが破損している状態と判断し、ステップＳ５に進んで制御弁１８を閉状態に制御する。これによって、破損したスプリンクラーヘッド６からの放水を制御弁の閉制御で確実に停止することができる。
【００５８】
次に火災検出が行われる前にスプリンクラーヘッドが作動した場合の制御を説明する。火災発生により火災受信盤１からの火災信号Ｅｆが移報される前にスプリンクラーヘッド６が作動し、流水検知装置１６からオンとなった流水検知信号Ｅａが出力されて、ステップＳ１で流水検知信号ありが判別されると、ステップＳ７に進んで火災信号Ｅｆを判別するが、火災信号がないことからステップＳ８に進み、障害信号Ｅｔを判別する。
【００５９】
ここで障害信号Ｅｔもなかった場合にはステップＳ９に進み、スプリンクラー制御盤５に引き込んだ感知器回線３の終端に設けている疑似障害発生スイッチ２６をパルス的に開閉し、感知器回線３の疑似的な断線状態を短時間作り出す。このため、火災受信盤１が正常に機能していればパルス的な障害信号Ｅｔが移報され、ステップＳ１０でパルス的な障害信号ありが判別されると、火災受信盤１は正常に機能しているものと判断し、ステップＳ５に進んで制御弁１８を閉状態に制御する。
【００６０】
これによって、スプリンクラーヘッド６が火災によらず破損等により誤動作する場合の放水を停止する。一方、疑似障害発生スイッチ２６のパルス開閉によるスイッチ駆動を行ってもステップＳ１０で火災受信盤１からパルス的な障害信号Ｅｔが移報されなかった場合には、火災受信盤１が故障しているものと判断し、この場合にはステップＳ３に進み、制御弁１８の開状態を維持し、作動したスプリンクラーヘッド６からの消火用水の放水を継続させる。
【００６１】
スプリンクラーヘッドが作動した後の流水検知信号Ｅａに基づいてステップＳ５で制御弁１８を閉状態に制御すると、閉制御の途中で流水検知信号Ｅａがなくなり、ステップＳ１，ステップＳ２，ステップＳ６，ステップＳ５の処理を繰り返す。
【００６２】
この状態で火災受信盤１から火災信号Ｅｆの移報があると、ステップＳ２で火災信号ありが判別され、ステップＳ３で制御弁１８を開状態に制御し、作動したスプリンクラーヘッド６から消火用水の放水を開始させる。
【００６３】
この図２のフローチャートに示したスプリンクラー制御盤５による制御弁１８の制御処理において、制御回路２１に入力される流水検知信号はタイマ回路２４で所定時間Ｔ例えばＴ＝６秒、流水検知装置１６でオンとなった流水検知信号Ｅａを受信してから保持した出力となる。
【００６４】
このタイマ回路２４によるオンとなった流水検知信号Ｅａの一定時間の保持出力により、制御弁１８を閉制御する途中で圧力検知信号Ｅｐより先にオフとなって制御弁１８を開状態の制御に切り替えることによるハンチング動作の発生を防止する。
【００６５】
図３は火災信号Ｅｆがない状態でスプリンクラーヘッド６の作動により流水検知信号Ｅａがオンとなった時の制御弁１８の閉制御の動作のタイムチャートである。まず図３（Ａ）の流水検知信号が時刻ｔ１でスプリンクラーヘッド６の作動によりオンしたとすると、図３（Ｂ）のタイマ回路２４の出力保持が開始され、流水検知タイマ出力信号は時刻ｔ１から予め定めた所定時間Ｔ例えばＴ＝６秒となる時刻ｔ５までの間、オンとなった出力を保持する。
【００６６】
この図３（Ｂ）の流水検知タイマ出力信号は制御回路２１に与えられ、このとき図３（Ｃ）の火災信号はオフであることから、図３（Ｅ）の制御弁閉出力を生じ、図３（Ｆ）のように全開状態にある制御弁１８を閉状態とするための閉制御が開始される。
【００６７】
制御弁１８を閉制御して行くと、弁開度が半分程度に閉じられ時刻ｔ２で流水検知装置１６の弁が閉鎖し、図３（Ａ）の流水検知信号がオフとなる。しかしながら、タイマ回路２４による流水検知信号の出力保持によって流水検知タイマ出力信号がオン状態に継続してあるため、制御回路２１は依然として流水検知が行われているものと判断し、制御弁１８の閉制御を継続する。
【００６８】
更に、制御弁１８が閉じると時刻ｔ３のタイミングで図３（Ｄ）の圧力検知信号がオフとなる。しかし図２で流水検知信号有りを判別して火災信号を待っている状態では、ステップＳ１，Ｓ７，Ｓ８，Ｓ９，Ｓ１０，Ｓ５の処理を繰り返しており、ステップＳ６の圧力検知信号有を判別する処理は行われないことから、圧力検知信号が時刻ｔ３でオフとなっても制御弁１８の閉制御に何ら影響を与えない。
【００６９】
そして制御弁１８は時刻ｔ４で全閉状態に制御される。その後の時刻ｔ５で、タイマ回路２４で出力が保持されていた流水検知タイマ出力信号がオフに戻るようになる。流水検知タイマ出力信号がオフになったときには、圧力検知信号もオフになっているので、ステップＳ１，Ｓ２，Ｓ６，Ｓ５の処理を繰り返し、制御弁１８の閉状態を維持する。
【００７０】
図４は図１のスプリンクラー制御盤５にタイマ回路２４を設けずに直接、流水検知信号Ｅａを制御回路２１に入力した場合の制御弁１８の閉制御のタイムチャートであり、制御弁１８が正常に全閉状態に制御できた場合を例にとっている。
【００７１】
図４（Ａ）の流水検知信号が時刻ｔ１でオンになると、このとき図４（Ｂ）の火災信号はオフであることから、図４（Ｄ）の制御弁閉出力がオンとなり、図４（Ｅ）のように全開状態にある制御弁１８の全閉状態の制御が開始される。制御弁１８が閉制御している途中で、この場合には図４（Ｃ）のように先に圧力検知信号がオフとなり次に流水検知信号がオフとなった場合である。
【００７２】
このように圧力検知信号が先にオフとなった場合には、このとき流水検知信号がオン状態にあるため、圧力検知信号のオフは制御弁１８の閉制御に何ら影響を及ぼすことはなく、制御弁１８は閉制御を継続し、時刻ｔ４で全閉状態となる。
【００７３】
図５は図１のようにスプリンクラー制御盤５にタイマ回路２４を設けず、制御弁の閉制御の途中で先に流水検知信号がオフとなった場合の制御異常のタイムチャートである。図５（Ａ）の流水検知信号は時刻ｔ１でオンとなり、このとき図５（Ｂ）の火災信号はオフであることから、図５（Ｄ）の制御弁閉出力がオンとなり、図５（Ｅ）のように時刻ｔ１より全開状態にある制御弁１８の閉制御が開始される。
【００７４】
この場合には、閉制御の途中で最初に図５（Ａ）の流水検知信号がオフとなる。流水検知信号がオフになると、図２のフローチャートにおいてステップＳ１からステップＳ２に進み、火災信号はないことから、ステップＳ６で圧力検知信号ありが判別される。
【００７５】
このとき図５（Ｃ）の圧力検知信号Ｅｐはまだオン状態にあるため、ステップＳ３に進み、制御弁の開制御に切り替わる。このため時刻ｔ２から図５（Ｅ）のように制御弁１８が開制御される。制御弁１８が開制御されると流水検知装置１６を流れる流水が増加し、図５（Ａ）のように流水検知信号が再びオンとなる。流水検知信号がオンになると、このとき火災信号はないことから再び制御弁１８の閉制御が開始され、以下、制御弁の開制御と閉制御が繰り返されるハンチング現象を起こしてしまう。
【００７６】
このような先に流水検知信号がオフとなった場合の図５の制御弁のハンチング制御に対し、本発明にあってはスプリンクラー制御盤５に流水検知信号Ｅａの出力を所定時間、例えば制御弁１８の全開から全閉までの時間、出力を保持するタイマ回路２４を設けたことで、図３（Ａ）のように流水検知信号が時刻ｔ２で先にオフとなり、次に図３（Ｄ）のように圧力検知信号が時刻ｔ３でオフとなる図５と同じ状態であっても、タイマ回路２４によって図３（Ｂ）のように流れ検知タイマ出力信号のオン状態が保持され、流水検知信号が先にオフとなってもタイマ回路２４による出力保持で制御弁１８の開制御と閉制御が繰り返されるような図５のようなハンチングを確実に防止することができる。
【００７７】
尚、上記の実施形態は集合住宅の各住戸を防護区画とするスプリンクラー消火設備を例にとるものであったが、本発明はこれに限定されず、火災受信盤やスプリンクラー制御盤を監視室等に集中的に設けて構成されたビル設備に適用することもできる。
【００７８】
またスプリンクラー消火設備全体の構成としては、スプリンクラーヘッド６に対する配管に流水検知装置１６と制御弁１８を設けていればよく、それ以外の構成は異なる構成であってもよい。例えば流水検知装置１６と制御弁１８の位置は図６の従来設備のように制御弁を一次側に設けるようにしてもよい。
【００７９】
また制御弁は、電動弁、電磁弁など配管路の開閉をできる弁構造のものであれば良い。また本発明は、その目的と利点を損なわない適宜の変形を含み、更に上記の実施形態に示した数値による限定は受けない。更にスプリンクラー制御盤は各住戸毎に設けなくとも良く、複数の監視区域の制御を行うようにしても良い。
【００８０】
【発明の効果】
以上説明してきたように本発明によれば、制御弁の閉制御の途中で流水検知装置からの流水検知信号がオフとなっても、タイマ回路によって流水検知信号の出力の保持が行われており、このため制御弁の閉制御の途中で圧力検知信号がオフとなっても流水検知信号のオン状態の出力が保持されているため、制御弁が閉制御の途中で圧力検知信号のオフによって開制御に切り替わり、開制御による流水検知信号のオンで再び閉制御に切り替わるハンチング現象を起こすことなく、確実に閉制御することができる。
【００８１】
このため流水検知装置の検知レベルと圧力スイッチの検知レベルを、制御弁を閉制御するために都合のよいレベルに調整する困難な作業が不必要となり、簡単に制御弁の確実な制御を実現することができる。
【図面の簡単な説明】
【図１】本発明の設備構成の説明図
【図２】図１のスプリンクラー制御盤による本発明の制御処理を示したフローチャート
【図３】図１のスプリンクラー制御盤による制御弁の制御動作を示したタイムチャート
【図４】図１のタイマ回路を設けなかった場合の制御弁の正常な制御動作を示したタイムチャート
【図５】図１のタイマ回路を設けなかった場合の制御弁のハンチング動作を示したタイムチャート
【図６】従来設備の説明図
【符号の説明】
１：火災受信盤（住戸受信機）
２：中継器
３：感知器回線
４：火災感知器
５：スプリンクラー制御盤
６：閉鎖型スプリンクラーヘッド
７：分岐管
８：給水本管
９：消火ポンプ
１０：貯水槽
１１：圧力タンク
１２：圧力スイッチ
１３：ポンプ制御盤
１４：モータ
１５：住棟受信盤
１６：流水検知装置
１８：制御弁
１９：高架水槽
２０：圧力スイッチ
２１：制御回路
２２：機能検出部
２３：緊急停止スイッチ
２４：タイマ回路
２５：終端抵抗
２６：疑似障害発生スイッチ
２７：末端試験弁
２８：オリフィス
【図１】
0004433348.tif 000002
【図２】
0004433348.tif 000003
【図３】
0004433348.tif 000004
【図４】
0004433348.tif 000005
【図５】
0004433348.tif 000006
【図６】
0004433348.tif 000007